(57)【要約】【課題】額縁幅を抑えつつ、信頼性を向上させることが可能な表示装置および電子機器を提供する。【解決手段】本技術の表示装置は、表示装置を有し、表示装置は、第１基板および第２基板と、第１基板および第２基板の間に設けられた表示層と、第１基板の表示層とは反対側の面に設けられた粘着層と、粘着層を介して貼り合わされた保護基材とを備える。【選択図】図１
2016075852.tif 000002
【特許請求の範囲】
【請求項１】
第１基板および第２基板と、
前記第１基板および前記第２基板の間に設けられた表示層と、
前記第１基板の前記表示層とは反対側の面に設けられた粘着層と、
前記粘着層を介して貼り合わされた保護基材と
を備えた表示装置。
【請求項２】
前記粘着層の端面は第１シール材によって封止されている、請求項１に記載の表示装置。
【請求項３】
前記粘着層の端面は保護膜によって被覆されている、請求項１に記載の表示装置。
【請求項４】
前記第１基板は、前記表示層とは反対側の面に溝を有し、前記溝は前記第１シール材によって埋設されている、請求項２に記載の表示装置。
【請求項５】
前記溝は前記第１基板を貫通している、請求項４に記載の表示装置。
【請求項６】
前記第１シール材は、前記溝を介して前記第１基板上に設けられた無機膜に接している、請求項４に記載の表示装置。
【請求項７】
前記第１シール材は、前記粘着層の端面から連続して前記第１基板の端面を被覆している、請求項２に記載の表示装置。
【請求項８】
前記保護膜、少なくとも前記保護基材の一部から前記無機膜の一部に連続して設けられている、請求項３に記載の表示装置。
【請求項９】
前記第１基板および前記第２基板は可撓性を有する、請求項１に記載の表示装置。
【請求項１０】
前記表示層の端面は第２シール材によって封止されている、請求項１に記載の表示装置。
【請求項１１】
前記第１シール材および前記第２シール材は、前記無機膜を間に、対向する位置に設けられている、請求項１０に記載の表示装置。
【請求項１２】
表示装置を有し、
前記表示装置は、
第１基板および第２基板と、
前記第１基板および前記第２基板の間に設けられた表示層と、
前記第１基板の前記表示層とは反対側の面に設けられた粘着層と、
前記粘着層を介して貼り合わされた保護基材と
を備えた電子機器。
【発明の詳細な説明】
【技術分野】
【０００１】
本開示は、可撓性を有する表示装置および電子機器に関する。
【背景技術】
【０００２】
近年、電子ペーパーと称される薄型の表示装置が、書籍（いわゆる電子ブック）として利用されている。そのような薄型の表示装置は可撓性を有し、ユーザが物理的に曲げたり捻ったりすることが可能である。
【０００３】
しかしながら、可撓性を有する表示装置を構成する基板には、樹脂材料等が用いられている。これら樹脂材料等からなる基板は、水蒸気等に対するバリア性が低く、基板間に設けられた表示層に水分が到達しやすかった。特に、表示層に設けられている表示素子が有機ＥＬ（Electro Luminescence）素子であった場合、発光層を含む有機層は水分に弱いため、改善が求められていた。
【０００４】
例えば、特許文献１に記載の有機ＥＬ素子では、防湿性基板上に配設された樹脂基板の端面を防湿膜によって被覆することで有機ＥＬ素子を構成する有機積層体への水分の浸入を防止している。
【先行技術文献】
【特許文献】
【０００５】
【特許文献１】特開２０１３−１８６９８４号公報
【発明の概要】
【発明が解決しようとする課題】
【０００６】
しかしながら、上記有機ＥＬ素子では、樹脂基板の端面を被覆する防湿膜は、樹脂基板の上面から防湿性基板にかけて設けられており、防湿性基板は樹脂基板よりも大きい。即ち、このような構造の表示装置では、表示領域の周辺に、ある程度の額縁幅が必要となるため、狭額縁構造のデザイン性の高い表示装置を実現することは困難であった。
【０００７】
本開示はかかる問題点に鑑みてなされたもので、その目的は、額縁幅を抑えつつ、信頼性を向上させることが可能な表示装置および電子機器を提供することにある。
【課題を解決するための手段】
【０００８】
本技術による表示装置は、第１基板および第２基板と、第１基板および第２基板の間に設けられた表示層と、第１基板の表示層とは反対側の面に設けられた粘着層と、粘着層を介して貼り合わされた保護基材とを備えたものである。
【０００９】
本技術による電子機器は、上記本技術の表示装置を有するものである。
【００１０】
本技術の表示装置および電子機器では、表示層を間に対向配置された第１基板および第２基板のうち、第１基板の表示層とは反対側の面に、粘着層を介して保護基材を貼り合わせるようにした。これにより。第１基板の基板面から表示層への水分等の浸入が低減される。
【００１１】
本技術の表示装置および電子機器によれば、第１基板の表示層とは反対側の面に、粘着層を介して保護基材を貼り合わせるようにしたので、第１基板の基板面から表示層への水分等の浸入が低減される。よって、額縁幅が狭く、信頼性の向上した表示装置および電子機器を提供することが可能となる。なお、ここに記載された効果は必ずしも限定されるものではなく、本開示中に記載されたいずれの効果であってもよい。
【図面の簡単な説明】
【００１２】
【図１】本開示の第１の実施の形態に係る表示装置の構成を表す断面図ある。
【図２】図１に示した表示装置の平面模式図である。
【図３Ａ】図１に示した表示装置の製造工程を表わす図である。
【図３Ｂ】図３Ａに続く製造工程を表す図である。
【図３Ｃ】図３Ｂに続く製造工程を表す図である。
【図４Ａ】図３Ｃに続く製造工程を表す図である。
【図４Ｂ】図４Ａに続く製造工程を表す図である。
【図５】本開示の第２の実施の形態に係る表示装置の構成を表す断面図である。
【図６】本開示の変形例１に係る表示装置の構成の一例を表す断面図である。
【図７】本開示の変形例１に係る表示装置の構成の他の例を表す断面図である。
【図８】本開示の変形例２に係る表示装置の構成を表す断面図である。
【図９Ａ】本開示の適用例１に係る電子機器（電子ブック）の開いた状態を表す斜視図である。
【図９Ｂ】図９Ａに示した電子ブックの閉じた状態（折り畳んだ状態）を表す斜視図である。
【図１０Ａ】本開示の適用例２に係る電子機器（タブレット）の外観の一例を表す斜視図である。
【図１０Ｂ】本開示の適用例２に係る電子機器（タブレット）の外観の他の例を表す斜視図である。
【図１１Ａ】本開示の適用例３に係る電子機器（スマートフォン）の表示面側の外観を表す斜視図である。
【図１１Ｂ】図１１Ａに示したスマートフォンの裏面側の外観を表す斜視図である。
【発明を実施するための形態】
【００１３】
以下、本開示の実施の形態および変形例等について図面を参照して詳細に説明する。なお、説明は以下の順序で行う。
１．第１の実施の形態（駆動基板の裏面に保護基材を配設した例）
１−１．表示装置の全体構成
１−２．製造方法
１−３．作用・効果
２．第２の実施の形態（駆動基板と保護基材とを貼り合わせる粘着層の端面および駆動基板の端面にシール材を設けた例）
３．変形例
３−１．変形例１（駆動基板およびシール材の端面をシール層で被覆した例）
３−２．変形例２（粘着層の端面を封止すると共に、駆動基板を貫通するシール材と、シール材を介して粘着層の端面および駆動基板の端面を被覆するシール層を設けた例）
４．適用例
【００１４】
＜１．第１の実施の形態＞
（１−１．表示装置の全体構成）
図１は、本開示の第１の実施の形態に係る表示装置（表示装置１）の断面構成を表したものであり、図２は、図１に示した表示装置１の平面構成を模式的に表したものである。この表示装置１は、例えば電子ブック等の表示部として用いられるものであり、可撓性を有する表示部材１０を備えている。本実施の形態では、表示部材１０の裏面、具体的には駆動基板１１の裏面に粘着層２２を介して保護基材２１が貼り合わされた構成を有する。更に、本実施の形態の表示装置は、粘着層２２の端面をシール材２３（第１シール材）によって封止しており、このシール材２３は駆動基板１１に設けられた溝１１Ａを埋設するように設けられている。
【００１５】
表示部材１０は、画像信号に基づいて画像を表示する表示パネルであり、詳細は後述するが、例えば図１に示したように、可撓性を有する駆動基板１１上にＴＦＴ層１４および有機層１５がこの順に積層されている。有機層１５を構成する表示素子としては、例えば有機ＥＬ（Electro Luminescence）素子、液晶表示素子あるいは電気泳動素子等が挙げられる。
【００１６】
表示部材１０は、図２に示したように、例えば長方形の平面形状を有し、ほぼ中央に長方形の表示領域１１０Ａが設けられている。表示領域１１０Ａよりも外側の周辺領域１１０Ｂの駆動基板１１の裏面には、表示領域１１０Ａを囲う溝１１Ａが設けられている。
【００１７】
表示部材１０は、駆動基板１１上に、ベースコート層１２を介して表示層１３が設けられた構成を有する。表示層１３は、ＴＦＴ層１４および有機層１５が積層されたものであり、さらに、有機層１５の表面の凹凸を平坦化すると共に、有機層１５を保護する封止層１６が積層されている。封止層１６上には、バリア膜１９を介して対向基板１８が配設されている。
【００１８】
駆動基板１１の材料としては、例えば樹脂材料、具体的には、ポリエチレンテレフタレート，ポリエチレンナフタレート，ポリエーテルスルホン，ポリエーテルイミド，ポリエーテルエーテルケトン，ポリフェニレンスルフィド，ポリスルホン，ポリアリレート，ポリイミド，ポリアミド，ポリカーボネート，セルローストリアセテート，ポリオレフィン，ポリスチレン，ポリエチレン，ポリプロピレン，ポリメチルメタクリレート，アラミド，ポリ塩化ビニル，ポリ塩化ビニリデン，エポキシ樹脂，フェノール樹脂，ユリア樹脂，メラミン樹脂，シリコン樹脂またはアクリル樹脂等のプラスチック材料が挙げられる。駆動基板１１のＹ軸方向の厚み（以下、単に厚みという）は例えば、厚み１０〜２００μｍである。
【００１９】
本実施の形態では、駆動基板１１には、周辺領域１１０Ｂに対応する位置に、駆動基板１１の裏面側から形成された溝１１Ａが表示領域１１０Ａを囲うように設けられている。この溝１１Ａは、底部に駆動基板１１があってもよいし、あるいは駆動基板１１を貫通していてもかまわない。この溝１１Ａ内に、後述する、シール材２３が充填されることによって、駆動基板１１の端面を浸入経路とした水分等の浸入を防ぐことが可能となる。
【００２０】
ベースコート層１２は、無機材料によって構成され、具体的な材料としては、例えば、酸化シリコン（ＳｉＯ2），窒化シリコン（ＳｉＮ）または酸化アルミニウム（Ａｌ2Ｏ3）等が挙げられる。
【００２１】
ＴＦＴ層１４は、具体的には、例えばゲート電極，ゲート絶縁膜，チャネル層としての半導体層およびソース・ドレイン電極により構成された薄膜トランジスタ（ＴＦＴ；Thin Film Transistor）等が設けられている（いずれも図示せず）。これらはＣＶＤ（Chemical Vapor Deposition；化学気相成長）法等による成膜およびエッチングの工程を経ることにより形成する。
【００２２】
有機層１５は、例えば画素電極と共通電極との間に液晶層や有機ＥＬ層、あるいは電気泳動層を有するものである（いずれも図示せず）。
【００２３】
封止層１６は、上記したように、有機層１５の表面の凹凸を平坦化すると共に、有機層１５を保護するためのものであり、例えば、エポキシ系樹脂、アクリル系樹脂等の有機材料や、酸化アルミニウム（Ａｌ2Ｏ3）、ＳｉＯｘ、ＳｉＮｘ等の無機材料等によって構成されている。
【００２４】
シール材１７（第２シール材）は、表示層１３の端面から有機層１５への水分等の浸入を防ぐものである。シール材１７は、有機層１５および封止層１６の端面に設けられると共に、ＴＦＴ層１４を、内周側と外周側に分離するように、ＴＦＴ層１４に設けられた溝１４Ａに充填されている。シール材１７の材料としては、例えば、酸化シリコン（ＳｉＯx）、窒化シリコン（ＳｉＮx）、酸化窒化シリコン（ＳｉＮxＯy）、酸化チタン（ＴｉＯx）または酸化アルミニウム（ＡｌxＯy）等が挙げられる。
【００２５】
対向基板１８は、後述するバリア膜１９と共に、有機層１５を封止するものである。対向基板１８は、可撓性を有すると共に、表示層１５から射出された各色光に対して透明な基材により構成されていることが好ましく、例えば、駆動基板１１と同様の材料によって構成されている。この対向基板１８の面上には、例えば、赤色フィルタ，緑色フィルタおよび青色フィルタからなるカラーフィルタが設けられ、各有機ＥＬ素子の間にブラックマトリクスが設けられている（いずれも図示せず）。
【００２６】
バリア膜１９は、対向基板１８の基板面から有機層１５への水分等の浸入を防ぐためのものであり、対向基板１８の表示層１３側の面に、例えば全面に設けられている。
【００２７】
駆動基板１１上の表示層１３とは反対側の面には、上記のように、粘着層２２を介して保護基材２１が貼り合わされている。
【００２８】
保護基材２１は、上記のように、駆動基板１１の基板面から有機層１３への水分等の浸入を防止するためのものである。保護基材２１の材料としては、表示装置１の可撓性を阻害することなく、透水性の小さな材料であることが好ましい。具体的には、アルミニウム（Ａｌ），ステンレス鋼（ＳＵＳ）あるいは銅（Ｃｕ）等の金属箔が挙げられる。厚みは、例えば１００ｎｍ以上であればよい。
【００２９】
粘着層２２は、駆動基板１１と保護基材２１とを貼り合わせるものである。粘着層２２の材料は、低アウトガスな樹脂材料であることが好ましく、例えばエポキシ樹脂等が挙げられる。
【００３０】
シール材２３は、粘着層２２の端面に設けられると共に、本実施の形態では、駆動基板１１に設けられた溝１１Ａを埋設するように設けられている。また、シール材２３の形成位置は、例えば、できるだけ外側に形成することが好ましいが、図１に示したように、表示層１３の端面を封止するシール材１７に対向する位置付近に設けることが、駆動基板１１の加工等のしやすさから好ましい。表示部材１０は、可撓性を有するため柔らかいが、シール材１７が設けられている位置は、ある程度の硬さを有しているため、駆動基板１１への溝１１Ａの形成および溝１１Ａへのシール材２３の埋設等を容易に行うことが可能となる。
【００３１】
（１−２．製造方法）
この表示装置１は、例えば次のようにして製造することができる。
【００３２】
まず、支持基板３１Ａに固定した駆動基板１１上に、ベースコート層１２を形成したのち、さらに、ＴＦＴ層１４，有機層１５および封止層１６からなる表示層１３を、この順に積層すると共に、これら端面にシール材１７を形成する。続いて、表示層１３（具体的には、封止層１６）上に、支持基板３１Ｂに固定され、バリア膜１９が設けられた対向基板１８を貼り合わせることによって、図３Ａに示した表示体１０を形成する。
【００３３】
続いて、図３Ｂに示したように駆動基板１１を支持する支持基板３１Ａを、例えばパルス発振の高密度ＵＶレーザ光等を用いたレーザリフトオフ（laser lift off、LLO）によって剥離させる。次に、図３Ｃに示したように、駆動基板１１の裏面に溝１１Ａを、例えば、ドライエッチング法を用いて形成する。
【００３４】
続いて、図４Ａに示したように、駆動基板１１の溝１１Ａを埋設すると共に、接着層２３の形成領域を区画するシール材１７を形成したのち、このシール材１７によって囲われた内部領域に、例えばワン・ドロップ・フィル（ＯＤＦ）等を用いて粘着層２２を形成する。次に、粘着層２２上に、保護基材２１となる金属箔を、例えば、クライムのシール方式や湾曲貼合あるいは、ロールラミネータ等を用いて貼り合わせる。
【００３５】
続いて、図４Ｂに示したように、支持基板３１Ａの剥離方法と同様の方法を用いて対向基板１８から支持基板３１Ｂを剥離する。以上により、図１に示した表示装置１が完成する。
【００３６】
（１−３．作用・効果）
上述したように、表示装置１は、例えば可撓性を有する電子ブック等に適用される。このため、表示装置１は、閲覧時には図９Ａに示したように平面状に使用することは勿論、移動時にはフレキシブルディスプレイとしての特徴を活かし、例えば、図９Ｂに示したように、折り曲げたり、丸めたりして携帯することができる。
【００３７】
前述したように、可撓性を有する表示装置は、樹脂材料等からなる基板が用いられているため、水蒸気等に対するバリア性が低い。このため、表示層を構成する有機層等が外部から浸入した水蒸気等によって劣化しやすく、信頼性が低いという問題があった。
【００３８】
この問題を解決するために、例えば、樹脂基板の端面に防湿膜を形成することで水分等の浸入を防止する有機ＥＬ素子等が開発されている。しかしながら、この様な構成を有する表示装置では、防湿膜は、樹脂基板の端面に一定の膜厚で形成すると共に、樹脂基板の端面から樹脂基板よりも大きな基板にかけて連続して形成するため、防湿性は向上するものの、額縁領域が広くなるという問題があった。
【００３９】
これに対して、本実施の形態では、表示装置１を構成する駆動基板１１の裏面に保護基材２１を貼り合わせるようにした。これにより、駆動基板１１の裏面からの水分等の浸入を防ぐことが可能となる。
【００４０】
以上のように、本実施の形態の表示装置１では、駆動基板１１の裏面に、保護基材２１を配設するようにした。これにより、水分等の浸入経路となる駆動基板１１の基板面の防湿性が向上し、水分等の浸入が低減される。よって、表示装置１の額縁領域を広くすることなく、信頼性を向上させることが可能となる。
【００４１】
本実施の形態の表示装置１では、さらに、駆動基板１１と保護基材２１とを貼り合わせる粘着層２２の端面にシール材２３を設けることによって、粘着層２２の端面を介した水分等の浸入も抑制することが可能となる。また、駆動基板１１の周辺領域１１０Ｂに、表示領域１１０Ａを囲うように、駆動基板１１の裏面側から溝１１Ａを形成し、この溝１１Ａにシール材２３を充填することによって、駆動基板１１の端面からの水分等の浸入を防ぐことが可能となる。これにより、表示装置１の信頼性がさらに向上する。
【００４２】
なお、溝１１Ａは、必ずしも駆動基板１１を貫通する必要はないが、貫通させ、シール材２３がベースコート層１２に接するようにすることにより、駆動基板１１の端面からの水分等の浸入をより効果的に防ぐことが可能となる。
【００４３】
以下に、本開示の第２の実施の形態および変形例（変形例１，２）について説明する。なお、上記第１の実施の形態における構成要素と同じものには同一の符号を付し、適宜説明を省略する。
【００４４】
＜２．第２の実施の形態＞
図５は、本開示の第２の実施の形態に係る表示装置（表示装置２）の断面構成を表したものである。この表示装置２は、上記第１の実施の形態における表示装置１と同様に、例えば電子ブック等の表示部として用いられるものであり、可撓性を有する表示部材２０を備えている。表示装置２は、駆動基板１１の裏面に粘着層２２を介して保護基材２１が貼り合わされている。本実施の形態では、周辺領域１１０Ｂの駆動基板１１が、例えば、粘着層２２の端面に対応する位置で切り落とされ、この駆動基板１１の端面が粘着層２２の端面と共にシール材３３によって封止されている点が、上記第１の実施の形態とは異なる。
【００４５】
表示装置２は、例えば、次のようにして製造することができる。まず、図３Ｂに示したように表示部材２０の積層体を構成し、駆動基板１１を支持する支持部材３１Ａを剥離する。この後、ドライエッチング等により、例えばシール材１７の表示層１３側の端面よりも外側の駆動基板１１を切り落とす。続いて、駆動基板１１周辺の、ベースコート層１２上にシール材３３を、例えばフォトリソグラフィおよびエッチングによって形成する。この後、上記第１の実施の形態と同様の方法を用いて、保護基材２１の貼り合わせおよび支持基板３１Ｂの剥離を行うことによって、図５に示した表示装置２が完成する。
【００４６】
以上のように、本実施の形態では、駆動基板１１の周辺部分を切り落として、シール材３３によって粘着層２２の端面と共に、駆動基板１１の端面を被覆するようにした。これにより、表示部材２０の外端から表示層１３までの距離を確保することができる。よって、より表示層１３への水分等の浸入を防ぐことができ、信頼性がさらに向上した表示装置２を提供することが可能となる。
【００４７】
＜３．変形例＞
（３−１．変形例１）
図６は、本開示における上記第１の実施の形態の変形例（変形例１）に係る表示装置３Ａの断面構成の一例を表したものである。この表示装置３Ａは、上記第１の実施の形態と同様に、駆動基板１１の裏面にシール材２３によって端面が封止された粘着層２２を介して保護基材２１が貼り合わされている。本変形例では、さらに、駆動基板１１の端面から保護基材２１の表面が連続してシール層４１によって被覆されている点が、上記第１の実施の形態とは異なる。
【００４８】
シール層４１は、保護基材２１やシール材２２と同様に、表示層１３への水分等の浸入を防ぐためのものである。シール層４１の材料は、例えば、酸化シリコン（ＳｉＯx）、窒化シリコン（ＳｉＮx）、酸化窒化シリコン（ＳｉＮxＯy）、酸化チタン（ＴｉＯx）または酸化アルミニウム（ＡｌxＯy）等のほか、防湿性を有する樹脂材料が挙げられる。シール層４１の厚みは、例えば１００ｎｍ以上である。シール層４１は、上記材料によって構成された単層膜あるいは積層膜として構成してもよく、積層膜とする場合には、例えば１層目を、上記無機材料を用いて形成し、外側となる２層目を樹脂材料によって構成することが好ましい。これにより、無機材料の剥離等を防ぎ、表示装置２の防湿性をより高めることができる。
【００４９】
なお、本変形例では、シール層４１をＴＦＴ層１４の上面から保護基材２１の裏面全面にかけて形成した例を示したが、少なくともベースコート層１２の端面の一部および保護基材２１の端面の一部にシール層４１の端面が重複するように形成されていれば、駆動基板１１側からの水分等の浸入は十分に防ぐことができる。
【００５０】
また、シール層４１を透明材料によって形成する場合には、図７に示した表示装置３Ｂのように、表示装置３全体をシール層４１で被覆してもかまわない。これにより、駆動基板１１側だけでなく、対向基板１８側からの水分等の浸入を防ぐことが可能となる。
【００５１】
以上のように、本変形例１における表示装置３Ａおよび表示装置３Ｂでは、駆動基板１１の端面および粘着層２２の端面をシール層４１で被覆するようにした。これにより、表示装置３Ａおよび表示装置３Ｂにおける、駆動基板１１側からの水分等の浸入をより防ぐことができる。よって、額縁領域を広くすることなく、より信頼性の向上した表示装置３Ａおよび表示装置３Ｂを提供することが可能となる。
【００５２】
また、表示装置３Ｂのように、シール層４１が表示装置全体を被覆するように形成することで、駆動基板１１側だけでなく、対向基板１８側からの水分の浸入も抑えることができ、さらに信頼性の向上した表示装置３Ｂを提供することが可能となる。
【００５３】
（３−２．変形例２）
図８は、上記第１の実施の形態および変形例１を組み合わせた変形例（変形例２）に係る表示装置４の断面構成を表したものである。この表示装置４は、上記第１の実施の形態と同様に、駆動基板１１の裏面にシール材２３によって端面が封止された粘着層２２を介して保護基材２１が貼り合わされており、粘着層２２の端面はシール材２３によって封止されている。更に、本変形例では、駆動基板１１に溝１１Ａを形成すると共に、この溝１１Ａをシール材２３によって埋設することで、駆動基板１１を表示領域１１０Ａと周辺領域１１０Ｂとに分離している。更に、駆動基板１１の端面から保護基材２１の表面が連続してシール層４１によって被覆されている。
【００５４】
このように、本変形例２における表示装置４では、駆動基板１１と保護基材２１とを貼り合わせる粘着層２２の端面を基板面内で封止するシール材２３を、粘着層２２の端面だけでなく、駆動基板１１を貫通するように設けるようにした。また。駆動基板１１の端面および粘着層２２の端面をシール層４１で被覆するようにした。これにより、表示装置４における、駆動基板１１側からの水分等の浸入をより防ぐことができる。よって、額縁領域を広くすることなく、より信頼性の向上した表示装置４を提供することが可能となる。
【００５５】
＜４．適用例＞
（適用例１）
上記第１，第２の記実施の形態および変形例（変形例１，２）における表示装置１〜４は、以下に説明する電子機器に適用することができる。図９Ａ，図９Ｂは、本開示の適用例１に係る電子機器（電子ブック５）の斜視構成を模式的に表したものである
【００５６】
電子ブック５は、柔らかい素材をコンポーネント化して形成された薄型のフレキシブルディスプレイである。この電子ブック５では、複数枚の紙（頁）を綴じて作られる実際の本のように、装置全体を閉じたり（折り畳んだり）、あるいは開いたりすることができるようになっている。ユーザは実際に本を読んでいるかのような感覚で、電子ブック５に表示された内容（例えば書籍の頁等）を閲覧することが可能である。
【００５７】
電子ブック５は、支持基板４０上に、表示部材４５を含む積層体４１を備えたものであり、本における「背」の部分（背３Ａ）には、ヒンジ部４２を有している。この電子ブック５の下面（閉じたときに外側になる面）側にはカバー４３が設けられ、上面（閉じたときに内側になる面）側は、保護シート４４により覆われている。
【００５８】
支持基板４０および保護シート４４は、電子ブック５の基材として積層体４１を支持すると共に、可撓性を有するものである。なお、ここでは、支持部材４０および保護シート４４は、上記実施の形態等において説明した駆動基板１１および対向基板１８に相当する。
【００５９】
積層体４１は、柔らかい素材を用いて構成されており、積層させた状態において可撓性が得られるようになっている。なお、ここでは、積層体４１が、電子ブック５を開いた状態での左右２面の両方に設けられた例を示すが、この積層体４１は、左右どちらか一方の面にのみ設けられていてもよい。
【００６０】
ヒンジ部４２は、支持基板４０の背３Ａに対応する部分に設けられ、例えば、電子ブック５の折り曲げ角度に拘わらず一定の曲率を維持可能な曲率規制ヒンジであることが望ましい。
【００６１】
カバー４３は、電子ブック５の外装部材であり、柔らかい樹脂フィルムにより構成されている。
【００６２】
保護シート４４は、表示部材４５を保護すると共に、電子ブック５の表示面を形成するものである。この保護シート４４は、支持基板４０にその全面を覆うように貼り合わせられており、柔らかく、かつ表示光に対して透明性を有する樹脂フィルムにより構成されている。
【００６３】
表示部材４５は、上記第１，第２の実施の形態および変形例１，２における表示部材１０，２０，３０，４０のいずれかにより構成されている。
【００６４】
（適用例２）
図１０Ａ，１０Ｂは、適用例２に係るタブレットパーソナルコンピュータ４４０の外観を表したものである。このタブレットパーソナルコンピュータ４４０は、例えば、タッチパネル部４１０および操作部４３０が配置された筐体４２０を有しており、タッチパネル部４１０に上記実施の形態等の表示装置１〜４のいずれかが搭載されている。
【００６５】
（適用例３）
図１１Ａおよび図１１Ｂは、適用例３に係るスマートフォン２２０の外観を表したものである。このスマートフォン２２０は、例えば、表側に表示部２２１および操作部２２２を有し、裏側にカメラ２２３を有しており、表示部２２１に上記実施の形態等の表示装置１〜４のいずれかが搭載されている。
【００６６】
以上、第１，第２の実施の形態および変形例１，２を挙げて本開示を説明したが、本開示は上記実施の形態に限定されるものではなく、種々の変形が可能である。また、例えば、上記実施の形態等において表示装置１〜３および電子ブック５の構成を具体的に挙げて説明したが、全ての構成要素を備える必要はなく、また、他の構成要素を更に備えていてもよい。
【００６７】
また、上記実施の形態，変形例および適用例１等では、駆動基板１１および支持基板４０の面形状が矩形状である場合を例示したが、支持基板４０の面形状はこれに限らず、他の形状、例えば正方形状や他の多角形状、円形状、楕円形状等様々な形状を取り得る。
【００６８】
更に、図示はしないが、上述したような折り畳み型あるいはタブレット型の表示装置または電子機器に、他の機器、例えばキーボード等を接続可能に構成してもよい。
【００６９】
加えて、上記実施の形態等では、本開示の表示装置または電子機器の一例として、電子ブックを例に挙げたが、本開示の表示装置または電子機器は、他にも、各種モバイル機器（ノート型ＰＣ（Personal computer），携帯オーディオプレーヤ，携帯電話，ＰＤＡ（Personal Digital Assistant）等の電子機器に用いられてもよい。また、ブックリーダとしてだけでなく、音楽プレーヤ，動画プレーヤ，写真ビューア，地図アプリ，ウエブブラウザなどを閲覧可能な表示装置および電子機器全般に使用することができる。
【００７０】
なお、本明細書中に記載された効果はあくまで例示であって限定されるものではなく、また、他の効果があってもよい。
【００７１】
また、本技術は以下のような構成を取ることも可能である。
（１）第１基板および第２基板と、前記第１基板および前記第２基板の間に設けられた表示層と、前記第１基板の前記表示層とは反対側の面に設けられた粘着層と、前記粘着層を介して貼り合わされた保護基材とを備えた表示装置。
（２）前記粘着層の端面は第１シール材によって封止されている、前記（１）に記載の表示装置。
（３）前記粘着層の端面は保護膜によって被覆されている、前記（１）または（２）に記載の表示装置。
（４）前記第１基板は、前記表示層とは反対側の面に溝を有し、前記溝は前記第１シール材によって埋設されている、前記（２）または（３）に記載の表示装置。
（５）前記溝は前記第１基板を貫通している、前記（４）に記載の表示装置。
（６）前記第１シール材は、前記溝を介して前記第１基板上に設けられた無機膜に接している、前記（４）または（５）に記載の表示装置。
（７）前記第１シール材は、前記粘着層の端面から連続して前記第１基板の端面を被覆している、前記（２）乃至（６）のいずれか１つに記載の表示装置。
（８）前記保護膜、少なくとも前記保護基材の一部から前記無機膜の一部に連続して設けられている、前記（１）乃至（７）のいずれか１つに記載の表示装置。
（９）前記第１基板および前記第２基板は可撓性を有する、前記（１）乃至（７）のいずれか１つに記載の表示装置。
（１０）前記表示層の端面は第２シール材によって封止されている、前記（１）乃至（９）のいずれか１つに記載の表示装置。
（１１）前記第１シール材および前記第２シール材は、前記無機膜を間に、対向する位置に設けられている、前記（１０）に記載の表示装置。
（１２）表示装置を有し、前記表示装置は、第１基板および第２基板と、前記第１基板および前記第２基板の間に設けられた表示層と、前記第１基板の前記表示層とは反対側の面に設けられた粘着層と、前記粘着層を介して貼り合わされた保護基材とを備えた電子機器。
【符号の説明】
【００７２】
１，２，３Ａ，３Ｂ，４…表示装置、５…電子ブック、１０，２０，３０，４０…表示部材、１１０Ａ…表示領域、１１０Ｂ…周辺部、１１…駆動基板、１２…ベースコート層、１３…表示層、１４…ＴＦＴ層、１５…有機層、１６…封止層、１７，２３…シール材、１８…対向基板、１９…バリア膜、２１…保護基材、２２…粘着層、４１…シール層。
【図１】
2016075852.tif 000003
【図２】
2016075852.tif 000004
【図３Ａ】
2016075852.tif 000005
【図３Ｂ】
2016075852.tif 000006
【図３Ｃ】
2016075852.tif 000007
【図４Ａ】
2016075852.tif 000008
【図４Ｂ】
2016075852.tif 000009
【図５】
2016075852.tif 000010
【図６】
2016075852.tif 000011
【図７】
2016075852.tif 000012
【図８】
2016075852.tif 000013
【図９Ａ】
2016075852.tif 000014
【図９Ｂ】
2016075852.tif 000015
【図１０Ａ】
2016075852.tif 000016
【図１０Ｂ】
2016075852.tif 000017
【図１１Ａ】
2016075852.tif 000018
【図１１Ｂ】
2016075852.tif 000019